【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
像担持体の軸線方向に沿って画像形成装置の装置本体に挿入可能なカートリッジであって、
前記像担持体と、
前記像担持体を支持する枠体と、
前記カートリッジの情報を記憶し、かつ前記装置本体に設けられた本体接点と接触可能な電気接点を備える記憶部材と、
前記カートリッジを前記装置本体に位置決めするために、前記装置本体から加圧されるように構成された第１の被加圧部と、
前記カートリッジを前記装置本体に位置決めするために、前記装置本体から加圧されるように構成された第２の被加圧部と、
を備え、
前記記憶部材は、前記枠体に配置され、
前記電気接点は、前記軸線方向において、前記第１の被加圧部および前記第２の被加圧部の間に配置され、かつ前記装置本体に前記カートリッジが装着された状態において、前記電気接点は下方の前記本体接点と接触可能に構成されることを特徴とするカートリッジ。
【請求項２】
像担持体の軸線方向に沿って画像形成装置の装置本体に挿入可能なカートリッジであって、
前記像担持体と、
前記像担持体を支持する枠体と、
前記カートリッジの情報を記憶し、かつ前記装置本体に設けられた本体接点と接触可能な電気接点を備える記憶部材と、
前記カートリッジを前記装置本体に位置決めするために、前記装置本体から加圧されるように構成された第１の被加圧部と、
前記カートリッジを前記装置本体に位置決めするために、前記装置本体から加圧されるように構成された第２の被加圧部と、
を備え、
前記記憶部材は、前記枠体に配置され、
前記電気接点は、前記軸線方向において、前記第１の被加圧部および前記第２の被加圧部の間に配置され、かつ前記軸線方向と交差する方向を向くように配置されることを特徴とするカートリッジ。
【請求項３】
前記装置本体に前記カートリッジが装着された状態において、前記電気接点、前記第１の被加圧部、および前記第２の被加圧部は、上方に向けて加圧されることを特徴とする請求項１または２に記載のカートリッジ。
【請求項４】
前記枠体に、前記第１の被加圧部および前記第２の被加圧部を結ぶ面に対して、前記像担持体の方向に退避する凹部が備えられ前記記憶部材が前記凹部に配置されることを特徴とする請求項１乃至３のいずれか１項に記載のカートリッジ。
【請求項５】
前記第１の被加圧部および前記第２の被加圧部を結ぶ面から前記電気接点が設けられる面までの距離は３ｍｍ以上で２０ｍｍ以下であることを特徴とする請求項１乃至４のいずれか１項に記載のカートリッジ。
【請求項６】
前記記憶部材は複数の前記電気接点を備え、前記複数の電気接点が並ぶ方向と前記軸線方向は交差する関係にあることを特徴とする請求項１乃至５のいずれか１項に記載のカートリッジ。
【請求項７】
前記軸線方向において、前記カートリッジを３つの分割領域に等分割するとき、前記記憶部材を中央の分割領域に配置されることを特徴とする請求項１乃至６のいずれか１項に記載のカートリッジ。
【請求項８】
前記像担持体の表面を帯電する帯電部材を備え、
前記軸線方向において、前記電気接点は前記帯電部材の両端部よりも内側に配置されることを特徴とする請求項１乃至７のいずれか１項に記載のカートリッジ。
【請求項９】
前記軸線方向において、前記電気接点は前記装置本体の露光装置によって前記像担持体が露光される領域の両端部よりも内側に配置されることを特徴とする請求項１乃至８のいずれか１項に記載のカートリッジ。
【請求項１０】
前記軸線方向における前記本体接点の位置を規制する第一の規制部と、
前記軸線方向と交差する方向における前記本体接点の位置を規制する第二の規制部と、を有することを特徴とする請求項１乃至９のいずれか１項に記載のカートリッジ。
【請求項１１】
前記軸線方向に交差する方向に突出し、かつ前記軸線方向に沿って延びるカートリッジガイドを有することを特徴とする請求項１乃至１０のいずれか１項に記載のカートリッジ。
【請求項１２】
前記電気接点は、前記カートリッジガイドの一部に配置されることを特徴とする請求項１１に記載のカートリッジ。
【請求項１３】
前記装置本体の位置決め部に当接する第一の被位置決め部であって、前記軸線方向において、前記像担持体の一端側に配置される第一の被位置決め部と、
前記装置本体の位置決め部に当接する第二の被位置決め部であって、前記軸線方向において、前記像担持体の他端側に配置される第二の被位置決め部と、を備え、
前記第１の被加圧部と前記第２の被加圧部は、前記第一の被位置決め部と前記第二の被位置決め部の間に配置されることを特徴とする請求項１乃至１２のいずれか１項に記載のカートリッジ。
【請求項１４】
前記装置本体は、前記像担持体に形成された静電潜像を現像するための現像剤担持体を備え、
前記現像剤担持体が前記装置本体に取り付けられた状態で、前記装置本体に対して着脱可能に構成されることを特徴とする請求項１乃至１３のいずれか１項に記載のカートリッジ。
【請求項１５】
現像剤担持体の軸線方向に沿って、像担持体を備える画像形成装置の装置本体に挿入可能なカートリッジであって、
前記像担持体に形成された静電潜像を現像するように構成された前記現像剤担持体と、
前記現像剤担持体を支持する現像枠体と、
前記カートリッジの情報を記憶し、かつ前記装置本体に設けられた本体接点と接触可能な電気接点を備える記憶部材と、
を備え、
前記記憶部材は、前記現像枠体に配置され、
前記装置本体に前記カートリッジが装着された状態において、前記電気接点は下方の前記本体接点と接触可能に構成され、
前記像担持体が前記装置本体に取り付けられた状態で、前記装置本体に対して着脱可能に構成されることを特徴とするカートリッジ。
【請求項１６】
前記カートリッジを前記装置本体に位置決めするために、前記装置本体から加圧されるように構成された第１の被加圧部と、
前記カートリッジを前記装置本体に位置決めするために、前記装置本体から加圧されるように構成された第２の被加圧部と、
を備え、
前記装置本体に前記カートリッジが装着された状態において、前記第１の被加圧部、および前記第２の被加圧部は、上方に向けて加圧されることを特徴とする請求項１５に記載のカートリッジ。
【請求項１７】
現像剤を担持するための現像剤担持体と、
請求項１乃至１３のいずれか１項に記載のカートリッジと、を有することを特徴とするプロセスカートリッジ。
【請求項１８】
請求項１乃至１７のいずれか１項に記載のカートリッジを備え、現像剤で記録材に画像を形成することを特徴とする画像形成装置。
【請求項１９】
請求項１乃至１４のいずれか１項に記載のカートリッジが着脱可能であり、
前記カートリッジとは別に、前記像担持体に形成された潜像を現像する現像剤担持体を備える現像カートリッジとが着脱可能であることを特徴とする画像形成装置。
【手続補正２】
【補正対象書類名】明細書
【補正対象項目名】００１１
【補正方法】変更
【補正の内容】
【００１１】
また、本発明に係る別のカートリッジは、像担持体の軸線方向に沿って画像形成装置の装置本体に挿入可能なカートリッジであって、前記像担持体と、前記像担持体を支持する枠体と、前記カートリッジの情報を記憶し、かつ前記装置本体に設けられた本体接点と接触可能な電気接点を備える記憶部材と、前記カートリッジを前記装置本体に位置決めするために、前記装置本体から加圧されるように構成された第１の被加圧部と、前記カートリッジを前記装置本体に位置決めするために、前記装置本体から加圧されるように構成された第２の被加圧部と、を備え、前記記憶部材は、前記枠体に配置され、前記電気接点は、前記軸線方向において、前記第１の被加圧部および前記第２の被加圧部の間に配置され、かつ前記軸線方向と交差する方向を向くように配置されることを特徴とする。
【手続補正３】
【補正対象書類名】明細書
【補正対象項目名】００１２
【補正方法】変更
【補正の内容】
【００１２】
また、本発明に係る別のカートリッジは、現像剤担持体の軸線方向に沿って、像担持体を備える画像形成装置の装置本体に挿入可能なカートリッジであって、前記像担持体に形成された静電潜像を現像するように構成された前記現像剤担持体と、前記現像剤担持体を支持する現像枠体と、前記カートリッジの情報を記憶し、かつ前記装置本体に設けられた本体接点と接触可能な電気接点を備える記憶部材と、を備え、前記記憶部材は、前記現像枠体に配置され、前記装置本体に前記カートリッジが装着された状態において、前記電気接点は下方の前記本体接点と接触可能に構成され、前記像担持体が前記装置本体に取り付けられた状態で、前記装置本体に対して着脱可能に構成されることを特徴とする。